(57)【要約】【課題】表示制御装置、表示制御プログラム及び表示制御方法を提供する。【解決手段】本発明に係る表示制御装置は、タッチパネル部と、表示制御部と、ページ変更部と、ページ決定部とを備える。前記表示制御部は、電子書籍の所定のページの内容を示す画像を前記タッチパネル部に表示する。前記ページ変更部は、前記タッチパネル部が第１操作を受け付けた場合に、前記タッチパネル部に表示する前記電子書籍のページを複数ページ毎に変更する。前記ページ決定部は、前記第１操作と相違する第２操作を前記タッチパネル部が受け付けた場合に、前記タッチパネル部に表示する前記電子書籍のページを決定する。前記表示制御部は、前記ページ決定部が決定したページの内容を示す画像を前記タッチパネル部に表示する。【選択図】図１
2019139292.tif 000002
【特許請求の範囲】
【請求項１】
タッチパネル部と、
電子書籍の所定のページの内容を示す画像を前記タッチパネル部に表示する表示制御部と、
前記タッチパネル部が第１操作を受け付けた場合に、前記タッチパネル部に表示する前記電子書籍のページを複数ページ毎に変更するページ変更部と、
前記第１操作と相違する第２操作を前記タッチパネル部が受け付けた場合に、前記タッチパネル部に表示する前記電子書籍のページを決定するページ決定部と
を備え、
前記表示制御部は、前記ページ決定部が決定したページの内容を示す画像を前記タッチパネル部に表示する、表示制御装置。
【請求項２】
前記タッチパネル部は、前記第１操作を受け付ける第１受付領域を備え、
前記ページ変更部は、前記第１受付領域が前記第１操作を受け付けた場合に、前記タッチパネル部に表示する前記電子書籍のページを複数ページ毎に変更する、請求項１に記載の表示制御装置。
【請求項３】
前記第１操作は、第１方向への操作と、前記第１方向と相違する第２方向への操作とを含み、
前記ページ変更部は、前記タッチパネル部が前記第１方向への操作を受け付けた場合に、前記電子書籍のページを第１単位毎に変更し、
前記ページ変更部は、前記タッチパネル部が前記第２方向への操作を受け付けた場合に、前記電子書籍のページを第２単位毎に変更し、
前記第１単位は、複数のページを示し、
前記第２単位は、前記第１単位と異なる単位を示す、請求項１または請求項２に記載の表示制御装置。
【請求項４】
前記第１操作は、前記タッチパネル部に対して行われる単数の擦動であり、
前記第２操作は、前記タッチパネル部に対して行われる複数の擦動である、請求項１から請求項３のいずれかに記載の表示制御装置。
【請求項５】
前記タッチパネル部は、前記第１操作を受け付ける第２受付領域をさらに備え、
前記ページ変更部は、前記第２受付領域が前記第１操作を受け付けた場合に、前記タッチパネル部に表示する前記電子書籍のページを１ページ毎に変更する、請求項１から請求項４のいずれかに記載の表示制御装置。
【請求項６】
タッチパネル部が電子書籍の所定のページの内容を示す画像を表示するように前記タッチパネル部を制御するステップと、
前記タッチパネル部が第１操作を受け付けた場合に、前記タッチパネル部に表示する前記電子書籍のページを複数ページ毎に変更するように前記タッチパネル部を制御するステップと、
前記第１操作と相違する第２操作を前記タッチパネル部が受け付けた場合に、前記タッチパネル部に表示する前記電子書籍のページを決定するステップと、
前記決定した前記ページの内容を示す画像を表示するように前記タッチパネル部を制御するステップとをコンピューターに実行させる、表示制御プログラム。
【請求項７】
電子書籍の所定のページの内容を示す画像をタッチパネル部に表示する表示制御装置の表示制御方法であって、
前記タッチパネル部が第１操作を受け付けた場合に、前記タッチパネル部に表示する前記電子書籍の前記ページを複数ページ毎に変更するページ変更ステップと、
前記第１操作と相違する第２操作を前記タッチパネル部が受け付けた場合に、前記タッチパネル部に表示する前記電子書籍のページを決定するページ決定ステップと、
前記ページ決定ステップで決定した前記ページの内容を示す画像を前記タッチパネル部に表示する表示制御ステップとを含む、表示制御方法。
【発明の詳細な説明】
【技術分野】
【０００１】
本発明は、表示制御装置、表示制御プログラム及び表示制御方法に関する。
【背景技術】
【０００２】
従来、ページ送り操作及びページ戻し操作が可能な携帯情報機器が提供されている。このような携帯情報機器として、特許文献１に記載の携帯情報機器は、タッチパネル操作において、スワイプさせることでページ送り操作及びページ戻し操作とを行う。特許文献１の記載によれば、スワイプさせることでページ送り・戻しができる携帯情報機器を得ることができる。
【先行技術文献】
【特許文献】
【０００３】
【特許文献１】特開２０００−１６３１９３号公報
【発明の概要】
【発明が解決しようとする課題】
【０００４】
しかしながら、特許文献１に記載の携帯情報機器では、１ページ毎にページ送りをしているため、複数ページ毎にページを送ることができない。従って、電子書籍のページが多い場合には、利便性が充分ではない。
【０００５】
本発明は上記課題に鑑みてなされたものであり、複数ページ毎にページ送りができる表示制御装置を提供することを目的とする。
【課題を解決するための手段】
【０００６】
本発明に係る表示制御装置は、タッチパネル部と、表示制御部と、ページ変更部と、ページ決定部とを備える。前記表示制御部は、電子書籍の所定のページの内容を示す画像を前記タッチパネル部に表示する。前記ページ変更部は、前記タッチパネル部が第１操作を受け付けた場合に、前記タッチパネル部に表示する前記電子書籍のページを複数ページ毎に変更する。前記ページ決定部は、前記第１操作と相違する第２操作を前記タッチパネル部が受け付けた場合に、前記タッチパネル部に表示する前記電子書籍のページを決定する。前記表示制御部は、前記ページ決定部が決定したページの内容を示す画像を前記タッチパネル部に表示する。
【０００７】
本発明に係る表示制御プログラムは、タッチパネル部を制御するステップと、前記タッチパネル部に表示する電子書籍のページを決定するステップとをコンピューターに実行させる。前記タッチパネル部を制御するステップは、前記タッチパネル部が前記電子書籍の所定の前記ページの内容を示す画像を表示する。前記タッチパネル部を制御するステップは、前記タッチパネル部が第１操作を受け付けた場合に、前記タッチパネル部に表示する前記電子書籍のページを複数ページ毎に変更する。前記タッチパネル部に表示する前記電子書籍のページを決定するステップは、前記第１操作と相違する第２操作を前記タッチパネル部が受け付けた場合に、前記タッチパネル部に表示する。前記タッチパネル部を制御するステップは、前記決定した前記ページの内容を示す画像を表示する。
【０００８】
本発明に係る表示制御装置の表示制御方法は、ページ変更ステップと、ページ決定ステップと、表示制御ステップとを含む。前記表示制御装置の表示制御方法は、電子書籍の所定のページの内容を示す画像をタッチパネル部に表示する。前記ページ変更ステップは、前記タッチパネル部が第１操作を受け付けた場合に、前記タッチパネル部に表示する前記電子書籍のページを複数ページ毎に変更する。前記ページ決定ステップは、前記第１操作と相違する第２操作を前記タッチパネル部が受け付けた場合に、前記タッチパネル部に表示する前記電子書籍のページを決定する。前記表示制御ステップは、前記ページ決定ステップで決定したページの内容を示す画像を前記タッチパネル部に表示する。
【発明の効果】
【０００９】
本発明によれば、複数ページ毎にページ送りができる。この結果、ユーザーの利便性を向上できる。
【図面の簡単な説明】
【００１０】
【図１】本発明の実施形態に係る表示制御装置を示す図である。
【図２】本発明の実施形態に係る表示制御装置を示す機能ブロック図である。
【図３】本発明の実施形態に係る表示制御部が実行する処理を示す図である。
【発明を実施するための形態】
【００１１】
以下、本発明の実施形態について、図面を参照しながら説明する。なお、図中、同一または相当部分については同一の参照符号を付して説明を繰り返さない。
【００１２】
まず、図１を参照して本発明の実施形態に係る表示制御装置１００を説明する。図１は、本発明の実施形態に係る表示制御装置１００を示す図である。
【００１３】
表示制御装置１００は、例えば、スマートフォンまたはパソコンの一部として用いられる。表示制御装置１００は、タッチパネル部２と、記憶部３と、表示制御部４とを備える。Ｘ軸は、タッチパネル部２の長辺と平行である。Ｙ軸は、タッチパネル部２の短辺と平行である。
【００１４】
タッチパネル部２は、ユーザーからの操作を受け付ける。また、タッチパネル部２は、画像を表示する。タッチパネル部２は矩形状である。タッチパネル部２は、タッチパネル２１と、表示部２２とを含む。
【００１５】
タッチパネル２１はユーザーの操作を検出する。例えば、ユーザーは指でタッチパネル２１を操作する。タッチパネル２１は、ユーザーの指が接触している位置を検出する。タッチパネル２１は、矩形状である。タッチパネル２１は、一対の長辺と短辺とを有する。タッチパネル２１は、表示部２２に重なるように配置される。なお、タッチパネル２１は透明である。
【００１６】
ユーザーが複数の指でタッチパネル２１に接触した場合、タッチパネル２１は、複数の指の各々が接触している位置を検出する。例えば、２本の指でタッチパネル２１を操作する。タッチパネル２１は、２本の指が接触している２つの位置を検出する。
【００１７】
また、タッチパネル２１は、ユーザーの指をタッチパネル２１に接触させたまま移動させる擦動を検出する。単数の指でタッチパネル２１に対して行われる擦動は、第１操作の例に相当する。第１操作は、１本の指の擦動である。また、複数の指でタッチパネル２１に対して行われる擦動は、第２操作の例に相当する。第２操作は、２本の指の擦動である。また、タッチパネル２１に対して行われる擦動は、スワイプ操作と言われる。タッチパネル２１は、擦動の種類によって、第１操作か第２操作かを判定する。
【００１８】
第１操作は、第１方向への操作と、第１方向と相違する第２方向への操作とを含む。第１方向への操作は、例えば、タッチパネル２１に対してＹ軸方向に行われるスワイプ操作である。第２方向への操作は、例えば、タッチパネル２１に対してＸ軸方向に行われるスワイプ操作である。なお、第２操作も第１方向の操作と第２方向の操作とを含む。
【００１９】
また、タッチパネル２１に対して行われる操作が、円を描く操作であってもよい。第１方向への操作は、タッチパネル２１に対して時計周りに円を描く擦動である。第２方向への操作は、タッチパネル２１に対して反時計回りに円を描く擦動である。
【００２０】
タッチパネル２１は、第１受付領域ａと第２受付領域ｂとを含む。第１受付領域ａは、タッチパネル部２の長辺に沿って配置される。また、第１受付領域ａは、タッチパネル部２の一方の長辺と他方の長辺との各々に沿って配置される。第１受付領域ａは、第１操作と第２操作とを受け付ける。
【００２１】
第２受付領域ｂは、一方の第１受付領域ａと他方の第１受付領域ａとの間に位置する。また、第２受付領域ｂは、第１操作と第２操作とを受け付ける。
【００２２】
なお、第１受付領域ａは、タッチパネル２１の短辺に沿って配置されてもよい。また、第１受付領域ａが、タッチパネル２１の長辺と短辺との各々に沿って配置されてもよい。つまり、第１受付領域ａは、タッチパネル部２の外周に配置される。第１受付領域ａがタッチパネル部２の長辺と短辺との各々に沿って配置される場合、第２受付領域ｂは、第１受付領域ａに囲まれる。また、第１受付領域ａは、タッチパネル２１の辺の一部に配置されてもよい。
【００２３】
表示部２２は画像を表示する。表示部２２は、画面を含む。表示部２２は画面に任意の画像を表示する。表示部２２は、液晶表示装置であってもよく、有機ＥＬ表示装置であってもよい。ユーザーは、タッチパネル２１を介して表示部２２の画面に表示された画像を視認できる。
【００２４】
記憶部３は、例えば、ハードディスク、ＲＯＭ（Ｒｅａｄ  Ｏｎｌｙ  Ｍｅｍｏｒｙ）またはＲＡＭ（Ｒａｎｄｏｍ  Ａｃｃｅｓｓ  Ｍｅｍｏｒｙ）を含む。ＲＯＭは、例えば、フラッシュメモリー等のＰＲＯＭ（Ｐｒｏｇｒａｍｍａｂｌｅ  ＲＯＭ）である。ＲＡＭは、例えば、ＤＲＡＭ（Ｄｙｎａｍｉｃ  ＲＡＭ）である。
【００２５】
記憶部３は、制御プログラムと、画像とを記憶する。制御プログラムは、例えば、表示制御部４の動作を制御するプログラムを含む。画像は、例えば、電子書籍を含む。電子書籍は、複数のページＰを含む。
【００２６】
図１及び図２を参照して、表示制御部４を説明する。図２は、本発明の実施形態に係る表示制御装置１００を示す機能ブロック図である。表示制御部４は、ページ変更部４１と、ページ決定部４２とを含む。
【００２７】
表示制御部４は、ＣＰＵ（Ｃｅｎｔｒａｌ  Ｐｒｏｃｅｓｓｉｎｇ  Ｕｎｉｔ）のようなプロセッサーによって構成される。表示制御部４は、制御プログラムを実行することにより、表示制御装置１００の動作を制御する。また、表示制御部４は、表示制御装置１００を動作させる集積回路を備える。表示制御装置１００の集積回路は、例えば、ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）によって構成される。
【００２８】
表示制御部４は、タッチパネル部２と、記憶部３とにそれぞれ接続されている。表示制御部４は、タッチパネル部２と、記憶部３とを制御する。例えば、表示制御部４はタッチパネル部２の表示部２２を制御する。例えば、表示制御部４は、タッチパネル２１の検出結果に基づいて表示部２２の表示する画像を変更する。
【００２９】
表示制御部４は、ページ変更部４１と、ページ決定部４２とを備える。具体的には、表示制御部４は、記憶部３に記憶された制御プログラムを実行して、ページ変更部４１とページ決定部４２として機能する。
【００３０】
ページ変更部４１は、タッチパネル部２に表示する電子書籍のページＰを変更する。具体的には、ページ変更部４１は、タッチパネル部２が第１操作を受け付けた場合に、タッチパネル部２に表示する電子書籍のページＰを変更する。また、ページ変更部４１は、ユーザーの指の移動量と単位移動量当たりのページ変更数とに基づいて、電子書籍のページＰを変更する。
【００３１】
単位移動量当たりのページ変更数は、第１操作の開始位置によって異なる。具体的には、第１操作が第１受付領域ａから開始されるか、第１操作が第２受付領域ｂから開始されるかで異なる。
【００３２】
第１受付領域ａから第１操作が開始される場合、単位移動量当たりのページ変更数は、複数ページとなる。例えば、第１受付領域ａから第１操作が開始される場合、ページ変更部４１は、１０ページ毎に電子書籍のページＰを変更する。
【００３３】
第２受付領域ｂから第１操作が開始される場合、単位移動量当たりのページ変更数は、１ページとなる。例えば、第２受付領域ｂから第１操作が開始される場合、ページ変更部４１は、１ページ毎に電子書籍のページＰを変更する。
【００３４】
単位移動量当たりのページ変更数は、第１操作の開始位置によって異なるため、第１領域から第１操作が開始された場合、複数ページ毎にページＰを変更することが可能となる。第２領域から第１操作が開始された場合、１ページ毎にページＰを変更することが可能となる。ユーザーは、望むページＰにページＰを変更することが容易となる。このため、ユーザーの利便性を向上できる。
【００３５】
また、単位移動量当たりのページ変更数は、第１操作の方向によって異なる。具体的には、第１受付領域ａから開始された第１操作の方向が、第１方向か、第２方向かで異なる。第１方向はＹ軸方向であり、第２方向はＸ軸方向である。
【００３６】
第１操作の方向が第１方向の場合、単位移動量当たりのページ変更数は、第１単位となる。第１単位は、複数のページを示す。例えば、第１単位が１０ページの場合、ページ変更部４１は、１０ページ毎に電子書籍のページＰを変更する。
【００３７】
第１操作の方向が第２方向の場合、単位移動量当たりのページ変更数は、第２単位となる。第２単位は、第１単位と異なる単位を示す。具体的には、第２単位は、電子書籍の節であってもよいし、電子書籍の章であってもよい。例えば、第２単位が章の場合、章毎に電子書籍のページＰが変更される。また、第１単位が２桁の正数である場合、第２単位は、３桁の正数であってもよい。
【００３８】
表示制御装置１００によれば、単位移動量当たりのページ変更数は、第１操作の方向によって異なるため、第１方向の操作では、第１単位毎にページＰを変更することが可能となり、第２方向の操作では、第２単位毎にページＰを変更することが可能となる。従って、ユーザーは、望むページＰにページＰを変更することが容易となる。この結果、ユーザーの利便性を向上できる。
【００３９】
また、ページ変更部４１は、第１操作が開始された位置からユーザーの指が所定距離移動した場合、電子書籍の最終ページＰに変更する。所定距離は、例えば、タッチパネル２１の一方の長辺からタッチパネル２１の他方の長辺までの距離の半分である。所定距離を一方の辺から他方の辺までの距離の半分とすることで、第２操作を行う箇所はタッチパネル２１の中央付近となる。従って、第２操作を行う場所を確保できる。この結果、第２操作を容易に行うことが可能となる。
【００４０】
ページ決定部４２は、タッチパネル部２に表示する電子書籍のページＰを決定する。具体的には、ページ決定部４２は、タッチパネル部２が第２操作を受け付けた場合、タッチパネル部２に表示する電子書籍のページＰを決定する。さらに具体的には、ページ決定部４２は、タッチパネル２１が複数の擦動を検出した場合にタッチパネル部２に表示する電子書籍のページＰを決定する。
【００４１】
表示制御部４は、ページ決定部４２が決定した電子書籍のページＰの内容を示す画像をタッチパネル部２に表示する。
【００４２】
また、表示制御部４は、設定部を有してもよい。設定部は、単位移動量当たりのページ変更数を設定する。例えば、設定部は、第１単位を５ページとし、第２単位を１０ページとするような設定を行う。従って、ユーザーの利便性が向上する。
【００４３】
図１から図３を参照して、表示制御部４の処理を説明する。表示制御部４の処理は、例えば表示制御部４を備えたコンピューターが行う。図３は、表示制御部４が実行する処理を示すフローチャートである。図３に示すように、表示制御部４が実行する処理は、ステップＳ１からステップＳ１５を含む。
【００４４】
図３に示すように、表示制御部４の処理がスタートすると、ステップＳ１が実行される。ステップＳ１において、表示制御部４は、電子書籍のページＰを表示部２２に表示させる。
【００４５】
ステップＳ３において、表示制御部４は、ユーザーの指が第１受付領域ａに接触しているか否かを判定する。具体的には、表示制御部４は、ユーザーの指の接触位置をタッチパネル部２から取得する。そして表示制御部４は、ユーザーの指の接触位置が第１受付領域ａにあるか否かを判定する。また、表示制御部４は、ユーザーの指の接触位置に対応する電子書籍のページＰをタッチパネル部２に表示する。
【００４６】
ステップＳ３において、ユーザーの指の接触位置が第１受付領域ａにない場合（ステップＳ３においてＮｏ）、処理はステップＳ１５に進む。ステップＳ３において、ユーザーの指の接触位置が第１受付領域ａにある場合（ステップＳ３においてＹｅｓ）、処理はステップＳ５に進む。
【００４７】
ステップＳ５において、表示制御部４は、第１方向への操作であるか否かを判定する。ステップＳ５において、第１方向への操作でない場合（ステップＳ５においてＮＯ）、処理は、ステップＳ１３に進む。ステップＳ５において、第１方向への操作である場合（ステップＳ５においてＹＥＳ）、処理は、ステップＳ７に進む。
【００４８】
ステップＳ７において、表示制御部４のページ変更部４１は、第１単位毎に電子書籍のページＰを変更する。具体的には、ページ変更部４１は、ユーザーの指の移動量と単位移動量当たりのページ変更数とに基づいて、電子書籍のページＰを変更する。表示制御部４は、ユーザーの指の移動量を算出する。単位移動量当たりのページ変更数は、第１単位である。ページ変更部４１は、表示制御部４が算出したユーザーの指の移動量と第１単位とに基づいて、ページＰを変更する。
【００４９】
表示制御部４は、ページ変更部４１がページＰを変更する際に、電子書籍のページＰをめくる様子を示す画像を表示するように表示部２２を制御してもよい。また、表示制御部４は、電子書籍の最終ページの番号と現在表示しているページＰの番号とを表示するように表示部２２を制御してもよい。
【００５０】
ステップＳ９において、ページ決定部４２は、第２操作をタッチパネル部２が受け付けた場合、タッチパネル部２に表示する電子書籍のページＰを決定する。第２操作は、Ｙ軸方向の操作であってもよいし、Ｘ軸方向の操作であってもよい。また、第２操作の方向は、Ｙ軸方向及びＸ軸方向とは異なる方向であってもよい。
【００５１】
ステップＳ１１において、表示制御部４は、表示部２２がページ決定部４２の決定した電子書籍のページＰを表示するように制御する。
【００５２】
ステップＳ５において、Ｎｏの判定がされた場合、処理はステップＳ１３に進む。ステップＳ１３は、第２方向への操作がされた場合の処理である。ステップＳ１３において、ページ変更部４１は、第２単位毎に電子書籍のページＰを変更する。具体的には、ページ変更部４１は、ユーザーの指の移動量と単位移動量当たりのページ変更数とに基づいて、電子書籍のページを変更する。表示制御部４は、ユーザーの指の移動量を算出する。単位移動量当たりのページ変更数は、第２単位である。ページ変更部４１は、表示制御部４が算出したユーザーの指の移動量と第２単位とに基づいて、ページＰを変更する。そして処理は、ステップＳ９に進む。
【００５３】
ステップＳ３において、Ｎｏの判定がされた場合、処理はステップＳ１５に進む。ステップＳ１５は、第２受付領域ｂから第１操作が開始された場合の処理である。ステップＳ１５において、ページ変更部４１は、１ページ毎に電子書籍のページＰを変更する。具体的には、ページ変更部４１は、ユーザーの指の移動量と単位移動量当たりのページ変更数とに基づいて、電子書籍のページＰを変更する。表示制御部４は、ユーザーの指の移動量を算出する。単位移動量当たりのページ変更数は、１ページである。ページ変更部４１は、表示制御部４が算出したユーザーの指の移動量に基づいて、１ページ毎にページＰを変更する。そして処理は、ステップＳ９に進む。
【００５４】
本明細書において、ステップＳ１は、「タッチパネル部２が電子書籍の所定のページＰの内容を示す画像を表示するようにタッチパネル部２を制御するステップ」の例に相当する。ステップＳ５とステップＳ７とは、「タッチパネル部２が第１操作を受け付けた場合に、タッチパネル部２に表示する電子書籍のページＰを複数ページ毎に変更するようにタッチパネル部２を制御するステップ」の例に相当する。ステップＳ１１は、「決定したページＰの内容を示す画像を表示するようにタッチパネル部２を制御するステップ」の例に相当する。
【００５５】
また、ステップＳ５とステップＳ７とは、「タッチパネル部２が第１操作を受け付けた場合に、タッチパネル部２に表示する電子書籍のページＰを複数ページ毎に変更するページ変更ステップ」の例に相当する。ステップＳ９は、「第１操作と相違する第２操作をタッチパネル部２が受け付けた場合に、タッチパネル部２に表示する電子書籍のページＰを決定するページ決定ステップ」の例に相当する。ステップＳ１１は、「ページ決定ステップで決定したページＰの内容を示す画像をタッチパネル部２に表示する表示制御ステップ」の例に相当する。
【００５６】
以上、図面（図１〜図３）を参照しながら本発明の実施形態を説明した。但し、本発明は、上記の実施形態に限られるものではなく、その要旨を逸脱しない範囲で種々の態様において実施することが可能である。また、上記の各実施形態に開示されている複数の構成要素を適宜組み合わせることによって、種々の発明の形成が可能である。例えば、実施形態に示される全構成要素から幾つかの構成要素を削除してもよい。さらに、異なる実施形態にわたる構成要素を適宜組み合わせてもよい。図面は、理解しやすくするために、それぞれの構成要素を主体に模式的に示しており、図示された各構成要素の厚み、長さ、個数、間隔等は、図面作成の都合上から実際とは異なる。また、上記の実施形態で示す各構成要素の速度、材質、形状、寸法等は一例であって、特に限定されるものではなく、本発明の構成から実質的に逸脱しない範囲で種々の変更が可能である。
【産業上の利用可能性】
【００５７】
本発明は、表示制御装置、表示制御プログラム及び表示制御方法の分野に利用可能である。
【符号の説明】
【００５８】
２      タッチパネル部
４      表示制御部
４１    ページ変更部
４２    ページ決定部
１００  表示制御装置
Ｐ      ページ
ａ      第１受付領域
ｂ      第２受付領域
【図１】
2019139292.tif 000003
【図２】
2019139292.tif 000004
【図３】
2019139292.tif 000005